(57)【要約】【課題】  電子データにより示される内容の修正点の見落としによるヒューマンエラーを減少させること。【解決手段】  実施形態の医用処理装置は、患者識別情報を少なくとも含む検査情報を記憶する。また、記憶された検査情報が更新された場合に、当該更新の内容をどこに通知するかを規定した変更通知ルール情報を記憶する。また、患者識別情報が付され、検査情報を更新する旨の更新情報の入力を受け付けると、当該更新情報に付された患者識別情報を含む検査情報を抽出し、当該更新情報に更新する。また、更新前の検査情報と、更新後の検査情報とを比較して、更新内容を文書として示す変更情報を生成する。さらに、変更情報により示される文書を解析した後に、変更通知ルール情報に基づいて、更新内容を通知する対象を決定し、当該決定した対象に当該更新内容を通知する。【選択図】図２
2015088136.tif 000002
【特許請求の範囲】
【請求項１】
患者識別情報を少なくとも含む検査情報を記憶する検査情報記憶手段と、
前記記憶された検査情報が更新された場合に、当該更新内容をどこに通知するかを規定した変更通知ルール情報を記憶する変更通知ルール情報記憶手段と、
前記検査情報記憶手段に記憶された検査情報に含まれる各種情報の少なくとも一部を、入力された情報に基づいて更新する情報更新手段と、
更新前の検査情報と更新後の検査情報とを比較して更新内容を解析し、当該解析の結果を示す変更解析結果情報を生成する変更解析結果情報生成手段と、
前記生成された変更解析結果情報と、前記記憶された変更通知ルール情報とに基づいて、前記更新内容を通知する対象を決定し、当該決定した対象に当該更新内容を通知する更新内容通知手段と
を具備することを特徴とする医用処理装置。
【請求項２】
請求項１に記載の医用処理装置において、
前記変更通知ルール情報記憶手段は、
前記更新内容に対応するようにして、当該更新内容を通知する対象を職種毎に規定した前記変更通知ルール情報を記憶することを特徴とする医用処理装置。
【請求項３】
請求項２に記載の医用処理装置において、
前記変更解析結果情報生成手段は、
前記生成された変更情報により示される文書に対して形態素解析処理及び構文解析処理を実行し、当該文書を構成する複数の単語を５Ｗ１Ｈのいずれかに各々分類する手段を具備し、
前記更新内容通知手段は、
前記変更情報により示される文書を構成する複数の単語を５Ｗ１Ｈに分類した結果と、前記記憶された変更通知ルール情報とを比較して、前記更新内容を通知する対象の職種を決定し、当該決定した職種の対象に当該更新内容を通知することを特徴とする医用処理装置。
【請求項４】
請求項３に記載の医用処理装置において、
前記変更解析結果情報生成手段は、
前記変更情報により示される文書を構成する複数の単語を、少なくとも更新内容が判別可能なようにして、Who句、What句、When句、Where句、Why句、How句のいずれかに分類することを特徴とする医用処理装置。
【請求項５】
請求項１に記載の医用処理装置において、
前記患者識別情報が付され、前記記憶された検査情報を更新する旨の更新情報の入力を受け付けると、当該入力を受け付けた更新情報に付された患者識別情報を含む検査情報を抽出する検査情報抽出手段をさらに備え、
前記情報更新手段は、前記抽出された検査情報に含まれる各種情報のうち、前記入力を受け付けた更新情報に対応する情報を当該更新情報に更新することを特徴とする医用処理装置。
【請求項６】
請求項１に記載の医用処理装置において、
前記更新前の検査情報と前記更新後の検査情報とを比較して前記更新内容を検出し、当該更新内容を文書として示す変更情報を生成する変更情報生成手段をさらに備え、
前記変更解析結果情報生成手段は、
前記生成された変更情報により示される文書を解析し、当該解析の結果を示す前記変更解析結果情報を生成することを特徴とする医用処理装置。
【請求項７】
医用処理装置と病院情報システムとを含む医用処理システムであって、
前記医用処理装置は、
患者識別情報を少なくとも含む検査情報を記憶する検査情報記憶手段と、
前記記憶された検査情報が更新された場合に、当該更新内容をどこに通知するかを規定した変更通知ルール情報を記憶する変更通知ルール情報記憶手段と、
前記検査情報記憶手段に記憶された検査情報に含まれる各種情報の少なくとも一部を、入力された情報に基づいて更新する情報更新手段と、
更新前の検査情報と更新後の検査情報とを比較して更新内容を解析し、当該解析の結果を示す変更解析結果情報を生成する変更解析結果情報生成手段と、
前記生成された変更解析結果情報と、前記記憶された変更通知ルール情報とに基づいて、前記更新内容を通知する対象を決定し、当該決定した対象に当該更新内容を通知する更新内容通知手段と
を具備し、
前記病院情報システムは、
前記患者識別情報を少なくとも含み、前記検査情報記憶手段に記憶された検査情報を更新する旨の前記更新情報を前記医用処理装置に送信する送信手段を具備することを特徴とする医用処理システム。
【発明の詳細な説明】
【技術分野】
【０００１】
本発明の実施形態は、医用処理装置及び医用処理システムに関する。
【背景技術】
【０００２】
近年、医療現場では、紙のカルテが電子カルテになる等、フィルムレスが主流となっており、検査結果やそのレポートを電子データとして管理する傾向にある。
【０００３】
これに伴い、複数の医療システムで一つの電子データを相互に利用するケースが増加してきている。
【先行技術文献】
【特許文献】
【０００４】
【特許文献１】特開２００７−１１５２９０号公報
【発明の概要】
【発明が解決しようとする課題】
【０００５】
しかしながら、以上のように複数の医療システムで一つの電子データを相互に利用する場合、次のような不都合が生じ得る。
【０００６】
例えば、電子データにより示される内容の一部分が修正された場合を想定する。この場合、通常、どの部分が修正されたかを示す修正履歴が、電子データを管理する管理システムから他の医療システムに通知（発信）されないという不都合がある。
【０００７】
このため、他の医療システムの操作者が電子データを利用する際に、電子データにより示される内容の修正点を把握することができず、誤った判断を行ってしまう、すなわち、ヒューマンエラーが生じ得るという心配がある。
【０００８】
具体的には、医師が、管理システムとは異なる他の医療システムを利用して、所定の検査データ（電子データ）を参照しながら年齢不詳の患者の診断を行った後に、この患者の年齢が発覚し、管理システムにおいて当該検査データが修正された場合、医師が、修正後の検査データを再度参照したとしても、患者の年齢が発覚したという修正履歴が管理システムから通知されていないため、修正点を見落とす心配がある。これに伴い、通常ならば、発覚した年齢に応じた診断を再度行う必要があるにも関わらず、医師がこの修正点を見落とした場合、再度の診断は必要ないという誤った判断を行ってしまう心配がある。
【０００９】
目的は、電子データにより示される内容の修正点の見落としによるヒューマンエラーを減少させ得る医用処理装置及び医用処理システムを提供することである。
【課題を解決するための手段】
【００１０】
実施形態の医用処理装置は、患者識別情報を少なくとも含む検査情報を記憶する検査情報記憶手段と、前記記憶された検査情報が更新された場合に、当該更新内容をどこに通知するかを規定した変更通知ルール情報を記憶する変更通知ルール情報記憶手段と、前記検査情報記憶手段に記憶された検査情報に含まれる各種情報の少なくとも一部を、入力された情報に基づいて更新する情報更新手段と、更新前の検査情報と更新後の検査情報とを比較して更新内容を解析し、当該解析の結果を示す変更解析結果情報を生成する変更解析結果情報生成手段と、前記生成された変更解析結果情報と、前記記憶された変更通知ルール情報とに基づいて、前記更新内容を通知する対象を決定し、当該決定した対象に当該更新内容を通知する更新内容通知手段と、を具備する。
【図面の簡単な説明】
【００１１】
【図１】一実施形態に係る医用処理システムの概略構成例を示す模式図である。
【図２】同実施形態に係る医用処理システムの構成例を図１より詳細に示す模式図である。
【図３】同実施形態に係る検査情報のデータ構造の一例を示す模式図である。
【図４】同実施形態に係る変更通知ルール情報のデータ構造の一例を示す模式図である。
【図５】同実施形態に係る変更情報生成処理の一例を説明するために用いられる模式図である。
【図６】同実施形態に係る変更解析結果情報のデータ構造の一例を示す模式図である。
【図７】同実施形態に係る医用処理装置の動作の一例を示すフローチャートである。
【発明を実施するための形態】
【００１２】
以下、図面を参照して、一実施形態について説明する。
【００１３】
図１は、一実施形態に係る医用処理システムの概略構成例を示す模式図であり、図２は、同実施形態に係る医用処理システムの構成例を図１より詳細に示す模式図である。医用処理システムは、図１に示すように、病院情報システム（HIS: Hospital Information System）１及び検査部門システム２を備えている。病院情報システム１及び検査部門システム２は、ネットワーク（例、ローカルエリアネットワーク（LAN: Local Area Network）等）を介して接続されており、双方システムが有する情報は、このネットワークを介した通信により共有される。
【００１４】
病院情報システム１は、例えば、医事会計システム、電子カルテシステム、オーダリンクシステム等を含んでおり、病院情報システム１とは、これら各種システムの総称である。
【００１５】
検査部門システム２は、図２に示すように、医用処理装置２０を備えている。なお、本実施形態では、検査部門システム２に医用処理装置２０だけが含まれる構成を例示するが、検査部門システム２の構成はこれに限定されず、さらに他の装置が含まれる構成としても良い。また、医用処理装置２０に含まれる各種機能は、複数の装置を用いて実現されるとしても良い。
【００１６】
以下に、医用処理装置２０の構成とその詳細な機能について説明する。
【００１７】
医用処理装置２０は、図２に示すように、検査情報記憶部２１、変更通知ルール情報記憶部２２、ＨＩＳ情報受信部２３、検査結果入力部２４、比較解析部２５、変更情報取得部２６、変更情報解析部２７及び変更情報通知部２８を備えている。
【００１８】
検査情報記憶部２１は、図示しない医用画像診断装置（例、Ｘ線ＣＴ（Computed Tomography）装置、ＭＲＩ（Magnetic Resonance Imaging）装置、ＣＲ（Computed Radiography）装置、マンモグラフィ（MG: Mammography）等）を用いて、患者（被検体）に対して行われた検査に関する検査情報を記憶する記憶装置である。具体的には、検査情報は、例えば、図３に示すように、患者識別情報、生年月日、性別、主訴、検査番号、検査日、検査名、検査内容及び所見を示す各種情報が関連付けられた情報である。なお、以下の説明中では、生年月日、性別、主訴、検査番号、検査日、検査名、検査内容及び所見を示す各種情報には、例えば、生年月日情報等、便宜上、末尾に「情報」という用語を付して表記するが、末尾の「情報」という用語は適宜省略されても構わない。
【００１９】
ここで、検査情報に含まれる各種情報の詳細について説明する。
【００２０】
患者識別情報（患者ＩＤ（Identifier）とも呼称）は、患者を識別するための情報である。生年月日情報は、患者の生年月日を示す情報である。性別情報は、患者の性別を示す情報である。主訴情報は、患者の訴えの中で最も重要な病症を示す情報である。検査番号情報は、患者に対して行われた検査を識別するための情報である。検査日情報は、患者に対して行われた検査の日付を示す情報である。検査名情報は、患者に対して行われた検査の名称を示す情報である。検査内容情報は、患者に対して行われた検査の内容を示す情報である。所見情報は、患者に対して行われた検査についての医師の判断を示す情報である。
【００２１】
なお、本実施形態では、検査情報に含まれる生年月日情報と性別情報とを総じて「患者情報」とも呼称する。同様に、検査情報に含まれる検査番号情報と、検査日情報と、検査名情報と、検査内容情報とを総じて「検査依頼情報」とも呼称する。さらに、検査情報に含まれる主訴情報と所見情報とを総じて「検査結果情報」とも呼称する。
【００２２】
変更通知ルール情報記憶部２２は、検査情報記憶部２１に記憶された検査情報が変更（更新）されたときに、この変更を誰に（又は、どこに）通知するかを規定した変更通知ルール情報を記憶する記憶装置である。具体的には、変更通知ルール情報は、例えば、図４に示すように、職種、主訴、変更内容及び通知可否を示す各種情報が関連付けられた情報である。なお、以下の説明中では、職種、主訴、変更内容及び通知可否を示す各種情報には、例えば、職種情報等、便宜上、末尾に「情報」という用語を付して表記するが、末尾の「情報」という用語は適宜省略されても構わない。
【００２３】
ここで、変更通知ルール情報に含まれる各種情報の詳細について説明する。
【００２４】
職種情報は、検査情報記憶部２１に記憶された検査情報が変更されたときに、この変更を通知する又は通知しない対象（人）の職種を示す情報である。主訴情報は、前述の検査情報に含まれる主訴情報と同様であるため、ここでは詳細な説明は省略する。変更内容情報は、検査情報に含まれる各種情報のうち、変更された情報（すなわち、変更内容）を示す情報である。通知可否情報は、検査情報記憶部２１に記憶された検査情報が変更されたときに、この変更を所望の人に通知するか否かを示す情報である。
【００２５】
ＨＩＳ情報受信部２３は、病院情報システム１から発行され、新規登録タグ又は更新登録タグのいずれか一方のタグと共に患者識別情報が付された患者情報及び検査依頼情報を受信すると、当該受信した患者情報及び検査依頼情報を比較解析部２５に送出する。なお、新規登録タグとは、このタグが付された情報が検査情報記憶部２１に新規に登録する情報であることを示すタグである。また、更新登録タグとは、このタグが付された情報が検査情報記憶部２１に既に登録されている情報を更新する情報であることを示すタグである。
【００２６】
検査結果入力部２４は、操作者（ユーザ）の操作に応じて、例えば、図示しない医用画像診断装置から送信され、新規登録タグ又は更新登録タグのいずれか一方のタグと共に患者識別情報が付された検査結果情報の入力を受け付けると、当該入力を受け付けた検査結果情報を比較解析部２５に送出する。なお、検査結果入力部２４は、図示しない医用画像診断装置だけでなく、例えば、ＰＡＣＳ（Picture Archiving Communication and System）等の外部システムから検査結果情報の入力を受け付けるとしても良い。
【００２７】
比較解析部２５は、ＨＩＳ情報受信部２３から送出された患者情報及び検査依頼情報の入力を受け付けると、当該入力を受け付けた患者情報及び検査依頼情報に付されたタグに従った各種登録処理を実行する。
【００２８】
より詳細には、比較解析部２５は、ＨＩＳ情報受信部２３から送出され、新規登録タグと共に患者識別情報が付された患者情報及び検査依頼情報の入力を受け付けると、当該入力を受け付けた患者情報及び検査依頼情報に付された新規登録タグに従って、当該患者情報及び当該検査依頼情報を当該患者識別情報と共に検査情報記憶部２１に書込む新規登録処理を実行する。
【００２９】
また、比較解析部２５は、ＨＩＳ情報受信部２３から送出され、更新登録タグと共に患者識別情報が付された患者情報及び検査依頼情報のうちの少なくとも一方の情報（以下、第１更新情報と表記）の入力を受け付ける。さらに、比較解析部２５は、入力を受け付けた第１更新情報に付された更新登録タグに従って、当該更新登録タグと共に付された患者識別情報と同一の患者識別情報を含む検査情報を検査情報記憶部２１から抽出する。そして、比較解析部２５は、抽出した検査情報に含まれる各種情報のうち、入力を受け付けた第１更新情報に対応した情報を当該第１更新情報に更新する更新登録処理を実行する。このとき、比較解析部２５は、更新前の検査情報、すなわち、抽出した検査情報を履歴情報として図示しない一時メモリ等に書込む。なお、一時メモリ内の履歴情報は、適宜削除される。
【００３０】
比較解析部２５は、更新登録処理を実行すると、更新前の検査情報（履歴情報）と、更新後の検査情報とを比較し、検査情報に含まれる各種情報のうち、どの情報がどのように更新（変更）されたのかを解析することで、当該解析の結果を示す解析結果情報（変更情報とも呼称）を生成する変更情報生成処理を実行する。
【００３１】
ここで、変更情報生成処理の詳細について、図５の模式図を参照しながら説明する。
【００３２】
まず、比較解析部２５は、図５（ａ）に示す更新前の検査情報と、図５（ｂ）に示す更新後の検査情報とを、各々、一時メモリと検査情報記憶部２１とから読出す。続いて、比較解析部２５は、更新前の検査情報と、更新後の検査情報とを比較し、これら検査情報に含まれる各種情報のうち、どの情報が異なる値に更新されているかを検出（解析）する。この場合、比較解析部２５は、生年月日情報が「不明」から「1956.10.5」に「2012.8.31 01:20」付けで更新されていることを検出する。次に、比較解析部２５は、検出した生年月日情報に対応するテンプレート文書を図示しないテンプレート文書記憶部から読出し、変更情報を生成する。この場合、比較解析部２５は、生年月日情報に対応した「ＨＩＳで身元判明に伴う年齢発覚により修正」というテンプレート文書を読出し、当該テンプレート文書を利用して、「ＨＩＳで身元判明に伴う年齢発覚により修正（2012.8.31 01:20）」という文書を示す変更情報を生成する。
【００３３】
以上が、変更情報生成処理の詳細である。
【００３４】
なお、比較解析部２５は、検査結果入力部２４から送出された検査結果情報に対しても、前述と同様に、新規登録処理、更新登録処理及び変更情報生成処理を実行する。
【００３５】
より詳細には、比較解析部２５は、検査結果入力部２４から送出され、新規登録タグと共に患者識別情報が付された検査結果情報の入力を受け付けると、当該入力を受け付けた検査結果情報に付された新規登録タグに従って、当該検査結果情報を当該患者識別情報と共に検査情報記憶部２１に書込む新規登録処理を実行する。
【００３６】
また、比較解析部２５は、検査結果入力部２４から送出され、更新登録タグと共に患者識別情報が付された検査結果情報（以下、第２更新情報と表記）の入力を受け付ける。さらに、比較解析部２５は、入力を受け付けた第２更新情報に付された更新登録タグに従って、当該更新登録タグと共に付された患者識別情報と同一の患者識別情報を含む検査情報を検査情報記憶部２１から抽出する。そして、比較解析部２５は、抽出した検査情報に含まれる各種情報のうち、入力を受け付けた第２更新情報に対応した情報を当該第２更新情報に更新する更新登録処理を実行する。このとき、前述と同様に、比較解析部２５は、更新前の検査情報、すなわち、抽出した検査情報を履歴情報として図示しない一時メモリ等に書込む。なお、前述と同様に、一時メモリ内の履歴情報は、適宜削除される。
【００３７】
また、前述と同様に、比較解析部２５は、更新登録処理を実行すると、更新前の検査情報（履歴情報）と、更新後の検査情報とを比較し、検査情報に含まれる各種情報のうち、どの情報がどのように更新（変更）されたのかを解析することで、当該解析の結果を示す解析結果情報（変更情報）を生成する変更情報生成処理を実行する。なお、変更情報生成処理の詳細については、図５を用いて説明した前述と同様であるため、ここでは詳細な説明は省略する。
【００３８】
なお、本実施形態では、比較解析部２５は、更新登録処理を実行した後に、変更情報生成処理を実行するとしたが、各種処理の順序はこれに限定されず、例えば、変更情報生成処理を先に実行してから、更新登録処理を実行するとしても良い。
【００３９】
変更情報取得部２６は、比較解析部２５により変更情報が生成されると、当該生成された変更情報を比較解析部２５から取得する。
【００４０】
変更情報解析部２７は、変更情報取得部２６により取得された変更情報に対して変更情報解析処理を実行する。具体的には、変更情報解析部２７は、取得された変更情報により示される文書に対して形態素解析処理及び構文解析処理を実行する。なお、形態素解析処理及び構文解析処理は、いわゆる周知技術であるため、ここでは詳細な説明は省略し、簡略的に説明する。
【００４１】
まず、変更情報解析部２７は、取得された変更情報により示される文書、例えば、「ＨＩＳで身元判明に伴う年齢発覚により修正（2012.8.31 01:20）」という文書に対して、形態素解析処理を実行する。具体的には、変更情報解析部２７は、図示しない辞書（すなわち、多数の単語や構文パターンが記憶された記憶媒体）を利用して、前述の文書の字句の切り出しや品詞の確定を行う。
【００４２】
その後、変更情報解析部２７は、形態素解析処理が実行された文書に対して、構文解析処理を実行する。具体的には、変更情報解析部２７は、形態素解析処理が実行された文書を、図示しない辞書内のWho句、What句、When句、Where句、Why句、How句の構文パターンと照合し、５Ｗ１Ｈの各パターンに当てはめ、前述の文書を構成する複数の単語をWho句、What句、When句、Where句、Why句、How句の各々に分類（分解）した後に、例えば図６に示すような変更解析結果情報を生成する。
【００４３】
変更情報解析部２７は、変更解析結果情報を生成すると、当該生成した変更解析結果情報と、変更通知ルール情報記憶部２２に記憶された複数の変更通知ルール情報とを比較し、当該生成した変更解析結果情報に含まれるWhat句の値（単語）と同一の値を示す変更内容情報を有した少なくとも１つの変更通知ルール情報を変更通知ルール情報記憶部２２から読出す。そして、変更情報解析部２７は、読出した変更通知ルール情報に含まれる通知可否情報が通知する旨を示す場合、当該通知可否情報に関連付けられた職種情報により示される職種の人（より詳細には、当該職種の人が利用する端末）に、検査情報が変更された旨を通知するよう変更情報通知部２８に指示する。
【００４４】
変更情報通知部２８は、変更情報解析部２７からの指示を受けると、当該指示に従って、所望の職種情報により示される職種の対象（人）に、検査情報が変更された旨（アラート）を通知する。
【００４５】
なお、前述の医用処理装置２０は、図示しないＣＰＵ（Central Processing Unit）を備えており、各部はこのＣＰＵによって制御されているものとする。
【００４６】
次に、以上のように構成された医用処理装置２０の動作の一例について、図３〜図６の模式図と、図７のフローチャートとを参照しながら説明する。ここでは、病院情報システム１から医用処理装置２０に向けて、更新登録タグと共に患者識別情報が付された患者情報が送信されたときの医用処理装置２０の動作について説明する。また、以下に示す各種処理は、図示しないＣＰＵが予め記憶されたプログラムに従って各部を制御することで実行されるものである。
【００４７】
始めに、ＨＩＳ情報受信部２３は、病院情報システム１から発行され、更新登録タグと共に患者識別情報が付された患者情報を受信すると、当該受信した患者情報を比較解析部２５に送出する（ステップＳ１）。ここでは、ＨＩＳ情報受信部２３は、更新登録タグと共に患者識別情報「３」が付された患者情報（生年月日情報）「1956.10.5」を受信し、当該受信した患者情報を比較解析部２５に送出する。
【００４８】
続いて、比較解析部２５は、ＨＩＳ情報受信部２３から送出され、更新登録タグと共に患者識別情報「３」が付された患者情報「1956.10.5」の入力を受け付けると、当該入力を受け付けた患者情報に付された更新登録タグに従って、当該更新登録タグと共に付された患者識別情報と同一の患者識別情報を含む検査情報を検査情報記憶部２１から抽出する。その後、比較解析部２５は、抽出した検査情報に含まれる各種情報のうち、入力を受け付けた患者情報に対応した生年月日情報を、当該入力を受け付けた生年月日情報に更新する更新登録処理を実行する（ステップＳ２）。このとき、比較解析部２５は、更新前の検査情報、すなわち、抽出した検査情報を履歴情報として図示しない一時メモリ等に書込む処理も実行する。
【００４９】
次に、比較解析部２５は、前述のステップＳ２の処理が実行されると、更新前の検査情報と、更新後の検査情報とを比較し、これら検査情報に含まれる各種情報のうち、どの情報が異なる値に更新されているかを検出（解析）する。そして、比較解析部２５は、検出した生年月日情報に対応するテンプレート文書を図示しないテンプレート文書記憶部から読出し、変更情報を生成する（ステップＳ３）。ここでは、比較解析部２５は、生年月日情報が異なる値、すなわち「不明」から「1956.10.5」に更新されていることを検出し、検出した生年月日情報に対応するテンプレート文書を図示しないテンプレート文書記憶部から読出し、「ＨＩＳで身元判明に伴う年齢発覚により修正（2012.8.31 01:20）」という文書を示す変更情報を生成する。
【００５０】
続いて、変更情報取得部２６は、前述のステップＳ３の処理により生成された変更情報を比較解析部２５から取得する（ステップＳ４）。
【００５１】
次に、変更情報解析部２７は、前述のステップＳ４の処理により取得された変更情報に対して変更情報解析処理を実行し、変更解析結果情報を生成する（ステップＳ５）。ここでは、変更情報解析部２７は、図６に示す変更解析結果情報を生成する。
【００５２】
続いて、変更情報解析部２７は、前述のステップＳ５の処理により生成した変更解析結果情報と、変更通知ルール情報記憶部２２に記憶された複数の変更通知ルール情報とを比較し、当該生成した変更解析結果情報に含まれるWhat句の値（単語）と同一の値を示す変更内容情報を有した少なくとも１つの変更通知ルール情報を変更通知ルール情報記憶部２２から読出す（ステップＳ６）。ここでは、変更情報解析部２７は、解析結果情報に含まれるWhat句「生年月日」と同一の値を示す変更内容情報を有した変更通知ルール情報を変更通知ルール情報記憶部２２から読出す。
【００５３】
次に、変更情報解析部２７は、前述のステップＳ６の処理により読出した変更通知ルール情報のうち、通知可否情報が通知する旨を示す変更通知ルール情報の職種情報により示される職種の人に、検査情報が変更された旨を通知するよう変更情報通知部２８に指示する（ステップＳ７）。ここでは、変更情報解析部２７は、職種情報「読影医」の人に変更内容情報により示される「生年月日」が変更された旨を通知するよう変更情報通知部２８に指示する。
【００５４】
しかる後、変更情報通知部２８は、変更情報解析部２７からの指示を受けると、当該指示に従って、検査情報が変更された旨を通知し（ステップＳ８）、医用処理装置２０での動作を終了させる。
【００５５】
以上説明した一実施形態によれば、検査情報記憶部２１に記憶された検査情報が変更された場合、この変更の内容を解析し、この変更を通知すべき対象に変更内容を通知可能とした構成により、変更内容の見落としによるヒューマンエラーを減少させることができる。
【００５６】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５７】
１…病院情報システム、２…検査部門システム、２０…医用処理装置、２１…検査情報記憶部、２２…変更通知ルール情報記憶部、２３…ＨＩＳ情報受信部、２４…検査結果入力部、２５…比較解析部、２６…変更情報取得部、２７…変更情報解析部、２８…変更情報通知部。
【図１】
2015088136.tif 000003
【図２】
2015088136.tif 000004
【図３】
2015088136.tif 000005
【図４】
2015088136.tif 000006
【図５】
2015088136.tif 000007
【図６】
2015088136.tif 000008
【図７】
2015088136.tif 000009